(57)【特許請求の範囲】
【請求項１】
天蓋部材と、前記天蓋部材の外縁から下方に連続し、切開創に留置される開創器の体腔外側の開口端部に装着する装着部材とを備え、前記天蓋部材と前記装着部材とが可撓性を有する軟質性樹脂によって一体成形され、前記開創器とともに体腔内を気密的に封止する開創器用バルブキャップであって、
前記天蓋部材は、前記天蓋部材を上下に貫通し、処置具を体腔内に挿入する前記処置具よりも大径の貫通孔と、前記貫通孔の周縁部を基端として体腔内方向に連続する延出部とを備え、
前記延出部は、挿入方向に所定の長さに亘る前記処置具の径よりも小径である小径部を有し、
前記貫通孔の周縁は、断面視において逆Ｕ字形状に形成されて前記延出部と接続されていることを特徴とする開創器用バルブキャップ。
【請求項２】
請求項１に記載の開創器用バルブキャップであって、
前記延出部は、先端部に、処置具を体腔内に導入する開閉自在なスリット部を有し、
前記スリット部は、前記処置具を挿入していないときには、前記スリット部を形成する対向するスリット形成面が互いに気密的に密着することを特徴とする開創器用バルブキャップ。
【請求項３】
請求項１または２に記載の開創器用バルブキャップであって、
前記天蓋部材の外縁から径方向外側に前記装着部材まで連続し、前記天蓋部材より高い可撓性を有する懸架部を有することを特徴とする開創器用バルブキャップ。
【発明の詳細な説明】
【技術分野】
【０００１】
本発明は、開創器用バルブキャップに関する。
【背景技術】
【０００２】
内視鏡下外科手術及び比較的小規模な開腹手術の際に、鉗子等の円柱状の処置具を腹腔内へ導入するために、体壁に形成された開創部に装着され、該開創部の開口状態を維持するとともに該開創部を保護するための開創器が知られている。
【０００３】
前記開創器は、通常、体腔内側に配置されるリング状の内側固定部材と、体腔外側に配置されるリング状の外側固定部材と、該内側固定部材と該外側固定部材とを接続し、前記開創部を拡張する筒状の拡張部材とを備える。前記開創部に前記開創器を装着することにより形成された開口部から、前記処置具を体腔内に導入することにより、各種処置を行うことができる。
【０００４】
内視鏡下外科手術は、施術を円滑に行うために、安定した良好な手術視野の確保が必要となる。手術視野を確保するために、例えば、気腹法が広く用いられている。気腹法とは、腹腔鏡手術における拡張方法のひとつで、体腔内に二酸化炭素ガスを注入して陽圧にすることにより体腔を膨らませる方法である。
【０００５】
ところが、前記開創部に前記開創器を装着すると、形成された開口部から二酸化炭素ガスが抜け出てしまい、体腔を膨らませることができないという問題がある。そこで、前記開創器に装着され、該開創器により形成された開口部から処置具を導入可能にするとともに腹腔の気密性を維持することができる開創器用バルブキャップが種々開発されている。
【０００６】
従来、開創器用バルブキャップとして、切開創を開いた状態に保持する開創手段の体表側に配置して、体外から体腔内への医療用処置具や内視鏡の挿入口となる複数のポート部を備えたキャップ部材であって、該キャップ部材は弾性部材よりなり、表面には、ポート部として、全体として表面部から底部に向って径を縮小して傾斜する、複数の窪みを形成するものが知られている（例えば、特許文献１参照）。この従来の開創器用バルブキャップは、窪みに対して套管針などの前記処理具を穿刺することで開口させて使用する。
【先行技術文献】
【特許文献】
【０００７】
【特許文献１】特許第５４７５５６４号公報
【発明の概要】
【発明が解決しようとする課題】
【０００８】
しかしながら、前記従来の開創器用バルブキャップでは、前記処置具が前記キャップ部材に対して水平方向に動かされたときに、前記開口が変形して拡大する結果、前記開口と前記処置具との間に間隙が生じ、体腔内と体腔外とが連通するので、体腔内の気密性を維持することができないことがあるという不都合がある。
【０００９】
本発明は、かかる不都合を解消して、処置具を水平方向に動かしたときでも体腔内の気密性を維持することができる開創器用バルブキャップを提供することを目的とする。
【課題を解決するための手段】
【００１０】
かかる目的を達成するために、本発明の開創器用バルブキャップは、可撓性を有する天蓋部材と、前記天蓋部材の外縁から下方に連続し、切開創に留置される開創器の体腔外側の開口端部に装着する装着部材とを備え、前記開創器とともに体腔内を気密的に封止する開創器用バルブキャップであって、前記天蓋部材は、前記天蓋部材を上下に貫通し、処置具を体腔内に挿入する前記処置具よりも大径の貫通孔と、前記貫通孔の周縁部を基端として体腔内方向に連続する延出部とを備え、前記延出部は、挿入方向に所定の長さに亘る前記処置具の径よりも小径である小径部を有することを特徴とする。
【００１１】
本発明の開創器用バルブキャップは、天蓋部材の外縁から下方に連続する装着部材によって、切開創に留置される開創器の体腔外側の開口端部に装着されるため、開創器とともに体腔内を気密的に封止することができる。
【００１２】
そして、天蓋部材に設けられた貫通孔から、処置具を体腔内に挿入すると、貫通孔から連続する延出部の小径部は、処置具の径よりも小径であるが可撓性を有するため、撓み変形することで処置具に対して気密的に密着する。
【００１３】
この処置具が前記天蓋部材に対して水平方向（例えば、左方向）に動かされた場合、貫通孔は処置具よりも大径であるため、この動きを許容する。他方、処置具に密着した小径部の一方側（例えば右側）の一部は、処置具から離れていくが、小径部は処置具の挿入方向に所定の長さに亘り設けられているため、他の部分において気密的に密着し続ける。
【００１４】
よって、本発明の開創器用バルブキャップによれば、処置具を水平方向に動かしたときでも体腔内の気密性を維持することができる。
【００１５】
本発明の開創器用バルブキャップにおいて、前記延出部は、先端部に、処置具を体腔内に導入する開閉自在なスリット部を有し、前記スリット部は、前記処置具を挿入していないときには、前記スリット部を形成する対向するスリット形成面が互いに気密的に密着することが好ましい。
【００１６】
これによれば、処置具を挿入していないときには、前記スリット部を形成する対向するスリット形成面が互いに気密的に密着するので、処理具を挿入する前、及び、取り出した後においても、体腔内の気密性を維持することができる。
【００１７】
本発明の開創器用バルブキャップにおいて、前記天蓋部材の外縁から径方向外側に前記装着部材まで連続し、前記天蓋部材より高い可撓性を有する懸架部を有することが好ましい。
【００１８】
これによれば、処置具を水平方向に動かしたとき、可撓性を有する懸架部によって天蓋部材自体が追従できるので、体腔内の気密性を維持することができる。
【図面の簡単な説明】
【００１９】
【図１】本発明の実施形態の開創器用バルブキャップの装着状態を示す説明図。
【図２】本発明の実施形態の開創器用バルブキャップの表面を示す説明用斜視図。
【図３】本発明の実施形態の開創器用バルブキャップの裏面を示す説明用斜視図。
【図４】本発明の実施形態の開創器用バルブキャップの使用状態を示す説明図。
【図５】本発明の実施形態の開創器用バルブキャップの使用状態における挿入孔を示す拡大図。
【図６】本発明の実施形態の開創器用バルブキャップの変形例を示す説明図。
【図７】本発明の実施形態の開創器用バルブキャップにおける貫通孔の変形例を示す説明図。
【発明を実施するための形態】
【００２０】
次に、添付の図面を参照しながら本発明の実施の形態についてさらに詳しく説明する。
【００２１】
本実施形態の開創器用バルブキャップ（以下、バルブキャップという）１は、図１に示すように、内視鏡下外科手術において鉗子等の円筒状の処置具Ｆを腹腔内へ導入するために、体壁Ｂに形成された切開創Ｗに装着される開創器２に装着されるものである。
【００２２】
開創器２は、切開創Ｗを拡張する筒状の拡張部材３と、該拡張部材３の一端部に固着され体腔内側に配置される内側固定リング４と、該拡張部材３の他端部に固着され体腔外側に配置される外側固定リング５とを備える。
【００２３】
拡張部材３は、例えば、ポリウレタンからなる弾性を有する薄膜により形成されている。拡張部材３は、伸張していない状態のとき、内側固定リング４及び外側固定リング５の直径よりも小さい直径を有している。
【００２４】
内側固定リング４は、例えば、シリコーンゴムからなり、断面視略円形状である。
【００２５】
外側固定リング５は、例えば、シリコーンゴムからなり、軸方向に沿った断面視略長方形状である。外側固定リング５は、該外側固定リング５を中心軸として拡張部材３を巻き上げることにより、該拡張部材３の長さを短くして体壁Ｂの厚さに対応するように調節することができる。
【００２６】
バルブキャップ１は、図１乃至図３に示すように、円盤状の天蓋部材１１と、天蓋部材１１の外縁から径方向外側に連続する懸架部１２と、懸架部１２の外縁から下方に連続し、天蓋部材１１を開創器２の外側固定リング５に気密に装着する装着リング１３とを備える。
【００２７】
本実施形態では、天蓋部材１１、懸架部１２及び装着リング１３は、可撓性を有する軟質樹脂によって一体成形されている。軟質樹脂として、例えば、シリコーンゴム、ポリウレタン、ポリエチレンからなる群から選択される１種の樹脂を用いることができる。
【００２８】
天蓋部材１１は、中央に大径の挿入孔１４ａと、挿入孔１４ａの周囲に小径の挿入孔１４ｂが６個配置されている。大径の挿入孔１４ａは、処置具Ｆのうち、例えば直径１２ｍｍのデバイス用トロカーを挿入するのに用いるのに適しており、小径の挿入孔１４ｂは、
例えば直径５ｍｍのデバイス用トロカーを挿入するのに用いるのに適している。
【００２９】
挿入孔１４ａ，１４ｂ（以下、単に「挿入孔１４」と略記することがある。）は、天蓋部材１１の表裏を貫通する貫通孔１４１を有する。貫通孔１４１は、体腔内に挿入する処置具Ｆの直径よりも大きな直径、例えば、処置具Ｆの直径に対して１００〜２００％の範囲の直径を有するように形成されている。より好ましくは、処置具Ｆの直径に対して１２０〜１８０％の範囲の直径を有するように形成されているのが好ましい。
【００３０】
挿入孔１４ａ，１４ｂは、貫通孔１４１の周縁部を基端として体腔内方向に次第に縮径して連続し先端が閉塞された突出部１４２を有する。
【００３１】
突出部１４２は、先端部にスリット部１４３を有する。スリット部１４３は、突出部１４２に垂直方向に沿った切れ込みを入れることにより形成することができる。切れ込みは、バルブキャップ１を製造する際に事前に入れておいてもよく、開創器２に装着する直前にハサミ鉗子等で入れてもよい。スリット部１４３の径は、処置具Ｆの径よりも小径であり、処置具Ｆの直径に対して５０〜１００％の範囲の長さを有するように形成されているのが好ましい。
【００３２】
突出部１４２は、スリット部１４３の基端を含む外周に、切れ込みを入れる終点の目印として、段差部１４４が設けられている。突出部１４２は、段差部１４４を境目として、先端側が相対的に肉薄な肉薄部１４５として形成され、基端側が相対的に肉厚な肉厚部１４６として形成されているので、境目の段差部１４４は段差形状となっている。
【００３３】
段差部１４４の形状は、これに限られず、切れ込みを入れる目印となれば足りるため、溝部や突条部など他の形状であってもよい。
【００３４】
肉薄部１４５に対し軸方向に切れ込みを入れることで、スリット部１４３が形成される。
【００３５】
肉薄部１４５は可撓性を有するので、処置具Ｆを挿入していないときには、スリット部１４３を形成する対向するスリット形成面は、自身の弾力で互いに押し付けられ気密的に密着する。
【００３６】
本実施形態では、挿入孔１４ａと複数の挿入孔１４ｂとが設けられているが、処置具Ｆを挿入する挿入孔１４だけに切れ込みを入れて用いることもできる。
【００３７】
図５に示すように、肉厚部１４６は、先端から基端方向に所定の長さＬ１の範囲に設けられた小径部１４７と、小径部１４７より基端側に大径部１４８とが形成されている。小径部１４７は、処置具Ｆの径よりも小径であり、処置具Ｆの直径に対して５０〜１００％の範囲の長さを有するように形成されているのが好ましい。大径部１４８は、下端において小径部１４７と連続し、上端において貫通孔１４１と連続しているため、小径部１４７以上貫通孔１４１以下の直径を有する。
【００３８】
懸架部１２は、天蓋部材１１より肉薄に形成されている。懸架部１２は、断面視において、天蓋部材１１の外縁に略Ｕ字形状に形成されている。懸架部１２の形状は、これに限られず、中空の凸部又は中空の凹部であってもよく、複数設けることで波状に形成してもよい。
【００３９】
装着リング１３は、断面視略Ｕ字形状であって、開創器２の外側固定リング５に装着可能である。
【００４０】
次に、本実施形態のバルブキャップ１及びそれが装着される開創器２の使用方法について説明する。
【００４１】
まず、図１に示すように、開創器２を装着する位置として、例えば、腹部の皮膚及び腹膜を切開し、切開創としての切開創Ｗを形成する。次に、切開創Ｗから、開創器２の内側固定リング４を撓めた状態で挿入し、腹腔内において展開する。このとき、開創器２の外側固定リング５は、腹腔外に位置する。
【００４２】
次に、外側固定リング５を把持し、該外側固定リング５を径方向内側に倒しながら、該外側固定リング５を中心軸として拡張部材３を巻き上げることにより、切開創Ｗを径方向に拡張して所望の大きさの直径を有する開口部を形成するとともに、該拡張部材３の長さを体壁Ｂの厚さに対応させる。
【００４３】
次に、装着リング１３で外側固定リング５を被覆することにより、バルブキャップ１を開創器２に装着する。このようにして開創器２に装着されたバルブキャップ１は、処置具Ｆが未挿入の場合には、スリット部１４３が自身の弾力でスリット形成面が互いに気密に密着することにより、体腔内の気密性を維持することができる。
【００４４】
次に、図４Ａ及び図５Ａを用いて、バルブキャップ１に処置具Ｆが挿入される場合について説明する。
【００４５】
処置具Ｆは、天蓋部材１１に対して略垂直となるように、貫通孔１４１を介して突出部１４２に挿入される。すると、処置具Ｆに押されてスリット部１４３のスリット形成面が変形することで互いに離間し、スリット部１４３から処置具Ｆが突出し体腔内に導入される。
【００４６】
このとき、突出部１４２は可撓性を有する軟質樹脂からなることにより伸張するので、突出部１４２の小径部１４７が処置具Ｆの直径よりも小さい直径を有していても該処置具Ｆを挿入することができる。そして、小径部１４７が処置具Ｆの外周面の全周を被覆する。具体的には、小径部１４７の内周が挿入方向に所定の長さＬ１に亘り、処置具Ｆの外周面の全周に気密的に密着する密着領域１４７ａが形成される。
【００４７】
この結果、肉厚部１４６は、断面視において、内側に向かって凸状であって次第に拡径する所謂ラッパ形状に変形される。
【００４８】
次に、図４Ｂ及び図５Ｂを用いて、バルブキャップ１に挿入した処置具Ｆを水平方向、図４Ｂ及び図５Ｂにおいて左方向に動かした場合を例にして説明する。
【００４９】
貫通孔１４１は処置具Ｆよりも大径であるため、処置具Ｆは、貫通孔１４１の内径の範囲で水平移動することができる。
【００５０】
図５Ｂに示すように、処置具Ｆを左方向に移動させた場合、肉厚部１４６の左側には、密着領域１４７ｂが形成される。密着領域１４７ｂは、小径部１４７の挿入方向の長さＬ１より長い範囲Ｌ２に亘って、処置具Ｆの外周面に気密的に密着する。密着領域１４７ｂは、挿入方向において、小径部１４７の全部と大径部１４８の先端から一定の範囲に形成される。
【００５１】
他方、肉厚部１４６の右側は、密着領域１４７ｃが形成される。密着領域１４７ｃは、小径部１４７の挿入方向の長さＬ１より短い範囲Ｌ３に亘って、処置具Ｆの外周面に気密的に密着する。密着領域１４７ｃは、小径部１４７の一部に形成される。
【００５２】
肉厚部１４６の右側について説明すると、処置具Ｆを左方向に移動させると、密着領域１４７ａを形成していた小径部１４７は可撓性を有する軟質樹脂からなることにより伸張するので、小径部１４７の基端部側の一部は、変形して処置具Ｆから剥離するとともに、小径部１４７の先端側の他の部分は、処置具Ｆの外周面に密着した状態を維持するので、密着領域１４７ｃが形成される。
【００５３】
この結果、肉厚部１４６の密着領域１４７ｂ及び密着領域１４７ｃを含む内周は、処置具Ｆの外周全周に対して気密的に密着するので、体腔内と体腔外とが連通することを防ぐことができる。
【００５４】
したがって、本実施形態のバルブキャップ１によれば、処置具Ｆを水平方向に移動させても、体腔内の気密性を維持することができる。勿論、本実施形態のバルブキャップ１によれば、水平方向への成分が含まれる移動であれば、例えば処置具を挿入方向に対して斜めにするような動きに対しても、体腔内の気密性を維持することができる。
【００５５】
図４Ｂに示すように、処置具Ｆを左方向に移動させた場合、懸架部１２は可撓性を有する軟質樹脂からなり、特に天蓋部材１１より肉薄に形成されているため、左側の懸架部１２はより屈曲するように変形し、右側の懸架部１２は拡張するように変形する。この結果、懸架部１２は、天蓋部材１１を装着リング１３に対して水平方向に揺動させる。
【００５６】
したがって、本実施形態のバルブキャップ１によれば、天蓋部材１１自体も揺動するので、処置具Ｆを水平方向に移動させても、より体腔内の気密性を維持することができる。
【００５７】
本実施形態のバルブキャップ１では、天蓋部材１１に挿入孔１４を７個備えているが、１個でもよく、図６のように１９個以上設けてもよい。
【００５８】
また、本実施形態のバルブキャップ１では、貫通孔１４１を、天蓋部材１１表面側に環状の突条形状に形成することで強度の向上を図っているが、図７に示すように、断面視において中空の凸状に形成することで、より可撓性を高めて伸張しやすいようにしてもよい。
【符号の説明】
【００５９】
１…開創器用バルブキャップ、２…開創器、５…体腔外側の開口端部（外側固定リング）、１１…天蓋部材、１２…懸架部、１３…装着部材、１４１…貫通孔、１４２…延出部（突出部）、１４３…スリット部、１４７…小径部、Ｗ…切開創、Ｆ…処置具。
【図１】
0006666118.tif 000002
【図２】
0006666118.tif 000003
【図３】
0006666118.tif 000004
【図４】
0006666118.tif 000005
【図５】
0006666118.tif 000006
【図６】
0006666118.tif 000007
【図７】
0006666118.tif 000008